(57)【特許請求の範囲】
【請求項１】
物品の一組（４）と、
該物品の一組（４）を密閉する軟質の密閉パッケージ（３）であって、該密閉パッケージ（３）を介して第１の切り込み（６）により形成され、かつ前記物品の一組（４）へのアクセスを可能にするべく可動な第１のカバーフラップ（５）を有する軟質の密閉パッケージ（３）と、
前記密閉パッケージ（３）を密閉する厚紙の容器（２）であって、該容器（２）を介して第２の切り込み（８）により形成されると共に、前記密閉パッケージ（３）の前記第１のカバーフラップ（５）の上に重ねられかつ前記密閉パッケージ（３）へのアクセスを可能にするべく可動な第２のカバーフラップ（７）を有する厚紙の容器（２）と、
第１の再粘着性接着剤（１１）を内側に被覆させた再密閉可能な接着パネル（１０）であって、第１の再粘着性接着剤（１１）を有さず、前記接着パネル（１０）の端縁部に位置する少なくとも１枚の摘みタブ（１２）を有する接着パネル（１０）と、
を有し、
前記容器（２）は、上壁（１３）と、該上壁（１３）とは反対側にある平行な底壁（１４）と、前壁（１５）と、該前壁（１５）とは反対側にある平行な後壁（１６）と、互いに平行に向かい合った２枚の側壁（１７）と、を有する直方体の形状を成す硬質のパケット（１）であって、
前記第２のカバーフラップ（７）は前記第１のカバーフラップ（５）の上に直接重ねられると共に、前記第１のカバーフラップ（５）に永久的に接着され、
前記接着パネル（１０）は、前記容器（２）の外側に位置し、前記第２のカバーフラップ（７）よりも大きく、さらに前記第２のカバーフラップ（７）に永久的に接着されると共に前記第１の再粘着性接着剤（１１）により前記第２のカバーフラップ（７）を包囲する容器（２）部分に繰り返し脱着可能に接着され、
前記接着パネル（１０）が設けられた前記容器（２）は、硬質の前記パケット（１）の最も外側の要素であり、前記パケット（１）の外側に配置されるものであって、他の容器に挿入されるものではなく、かつ、前記パケット（１）の外側からいつも目に見えるパケット（１）。
【請求項２】
前記第２のカバーフラップ（７）は、ヒンジ（２１）に沿って前記容器（２）に接続される請求項１に記載のパケット（１）。
【請求項３】
前記第２の切り込み（８）はＵ字形であり、前記ヒンジ（２１）の上に載る２つの端部を有する請求項２に記載のパケット（１）。
【請求項４】
前記ヒンジ（２１）は、前記容器（２）の上壁（１３）の後方横断方向端縁部に位置する請求項２又は３に記載のパケット（１）。
【請求項５】
前記ヒンジ（２１）は、前記容器（２）の上壁（１３）にあって、該上壁（１３）の前方横断方向端縁部と後方横断方向端縁部との間に位置し、前方横断方向端縁部と後方横断方向端縁部の双方から所定の距離を隔てて配置されている請求項２又は３に記載のパケット（１）。
【請求項６】
前記第１の切り込み（６）はエンドレスラインによって形成される請求項１〜５の何れか一項に記載のパケット（１）。
【請求項７】
前記第１のカバーフラップ（５）は、前記密閉パッケージ（３）から完全に切り離されている請求項６に記載のパケット（１）。
【請求項８】
前記第１の切り込み（６）は、最初に切り離された少なくとも１つの部分を有し、該部分は前記第１のカバーフラップ（５）が最初に開かれたときに引き裂かれる請求項６又は７に記載のパケット（１）。
【請求項９】
前記第１の切り込み（６）はＵ字型である請求項１〜５の何れか一項に記載のパケット（１）。
【請求項１０】
前記第２のカバーフラップ（７）は、第２の永久乾燥接着剤（９）により、前記第１のカバーフラップ（５）に永久的に接着される請求項１〜９の何れか一項に記載のパケット（１）。
【請求項１１】
前記接着パネル（１０）は、単に前記第１の再粘着性接着剤（１１）によって前記第２のカバーフラップ（７）に永久的に接着される請求項１〜１０の何れか一項に記載のパケット（１）。
【請求項１２】
前記接着パネル（１０）も又、第３の永久乾燥接着剤（１８）により、前記第２のカバーフラップ（７）に永久的に接着される請求項１〜１０の何れか一項に記載のパケット（１）。
【請求項１３】
前記第３の永久乾燥接着剤（１８）は、前記第２のカバーフラップ（７）より小さい接着パネル（１０）の内方域を覆う請求項１２に記載のパケット（１）。
【請求項１４】
前記第２のカバーフラップ（７）は、前記第１のカバーフラップ（５）よりも大きい請求項１〜１３の何れか一項に記載のパケット（１）。
【請求項１５】
前記容器（２）は、２本の長手方向の折り線（２２）と多数の横断方向折り線（２３）を有するブランク（２０）を折り畳むことにより形成され、前記横断方向折り線は、２本の長手方向折り線（２２）の間に、
前記容器（２）の底壁（１４）の外方部分を形成する第１のパネル（１４ ’）と、
前記容器（２）の前壁（１５）を形成する第２のパネル（１５’）と、
前記容器（２）の上壁（１３）を形成する第３のパネル（１３ ’）と、
前記容器（２）の後壁（１６）を形成する第４のパネル（１６ ’）と、
前記容器（２）の底壁（１４）の内方部分を形成すると共に、前記ブランク（２０）を折り畳んだ際、前記第１のパネル（１４’）の上に重ねられて接着される第５のパネル（１４”）と、の輪郭を定める請求項１〜１４の何れか一項に記載のパケット（１）。
【請求項１６】
前記第２のパネル（１５’）は、前記容器（２）の側壁（１７）の各外方部分を形成すると共に第２のパネル（１５’）の両側に位置して前記長手方向折り線（２２）によって前記第２のパネル（１５’）に接続された２枚の第１のウィング（１７’）を有し、
前記第４のパネル（１６’）は、前記容器（２）の側壁（１７）の各内方部分を形成すると共に、第４のパネル（１６’）の両側に位置して前記長手方向折り線（２２）によって前記第４のパネル（１６’）に接続された２枚の第２のウィング（１７”）を有し、
夫々の第２のウィング（１７”）は、横断方向折り線（２３）に沿って第２のウィング（１７”）に接続されると共に前記ブランク（２０）を折り畳んだ際に第２のウィング（１７”）に対して９０°折り畳まれ、前記第５のパネル（１４”）の内面に接着される第１の止めタブ（２４）を有し、さらに
夫々の第２のウィング（１７”）は、横断方向折り線（２３）に沿って前記第１の止めタブ（２４）とは反対側の端部において前記第２のウィング（１７”）に接続されると共に前記ブランク（２０）を折り畳んだ際に第２のウィング（１７”）に対して９０°折り畳まれ、前記第３のパネル（１３’）の内面に接着される第２の止めタブ（２５）を有する請求項１５に記載のパケット（１）。
【請求項１７】
夫々の第２の止めタブ（２５）は、前記第２の切り込み（８）と重ならない程に小さい請求項１６に記載のパケット（１）。
【請求項１８】
前記容器（２）は、２本の長手方向の折り線（２２）と多数の横断方向折り線（２３）を有するブランク（２０）を折り畳むことにより形成され、その横断方向折り線は、２本の長手方向折り線（２２）の間に、
前記容器（２）の上壁（１３）の内方部分を形成する第１のパネル（１３ ’）と、
前記容器（２）の後壁（１６）を形成する第２のパネル（１６’）と、
前記容器（２）の底壁（１４）を形成する第３のパネル（１４ ’）と、
前記容器（２）の前壁（１５）を形成する第４のパネル（１５ ’）と、
前記容器（２）の上壁（１３）の外方部分を形成すると共に、前記ブランク（２０）を折り畳んだ際、前記第１のパネル（１３’）の上に重ねられて接着される第５のパネル（１３”）と、の輪郭を定める請求項１〜１４の何れか一項に記載のパケット（１）。
【発明の詳細な説明】
【技術分野】
【０００１】
本発明は、再密閉可能な密閉パネルを備えたパケット（小包）に関する。
【０００２】
以下の記述では、限定されない例として便宜上、硬質タバコパケットを純粋に参照される。
【背景技術】
【０００３】
硬質のヒンジ式蓋付きタバコパケットは、通常、タバコの一組を密閉する内パッケージと、内パッケージを収容する硬質の外容器とを有している。
【０００４】
紙巻きタバコの感覚刺激特性をより良い状態で維持するため、最近では密閉された内パッケージが提案されており、それは不透過性包装材料シートを折り畳んでヒートシールすることによって形成される。タバコの取り出しを可能にするため、密閉された内パッケージには、通常、“開閉”タイプの密閉パネルで覆われたカバーフラップが備わっている。より詳しく言えば、密閉パネルは、内パッケージを密閉する位置に繰り返して固定できるようにした非乾燥の再粘着性接着剤で被覆されている。
【０００５】
通常、硬質の外容器にはヒンジ式の蓋があり、その蓋はその下にある密閉パネルにアクセスするために始めに開放され、次いで密閉された内パッケージ内にあるタバコ一組からタバコを取り出すために引き上げられなければならない。言い換えれば、密閉された内パッケージ内にある一組からタバコを引き出すことは、それぞれ別個の連続した２つの開放作業（硬質の外容器の蓋を開けることと、密閉された内パッケージ上の密閉パネルを開けること）を含んでおり、タバコの引き抜き後にタバコパケットを閉じるにあたって、その作業を逆の順で繰り返さなければならない。
【０００６】
別個の連続した２つの開き／閉じ作業を行わなければならないということは、タバコパケットの使い勝手を明らかに悪くしている。
【０００７】
特許文献１には、密閉パッケージと硬質の容器とを有するタバコパケットが記載されており、ここでは密閉パッケージは、タバコの一組を取り囲むと共に密閉パッケージを貫通する切り込みによって形成された第１のカバーフラップを有し、さらにタバコの一組へのアクセスのため可動となっており、他方、硬質の容器はその密閉パッケージを取り囲むと共に密閉パッケージの第１のカバーフラップに重なった状態で接着された第２のカバーフラップを有し、さらにタバコの一組へのアクセスを可能にするべく第１のカバーフラップと共に可動となっている。しかしながら、特許文献１に記載されたタバコパケットは、硬質の容器の一部を成す第２のカバーフラップがあるおかげで、かなり大量の包装材料を必要とするばかりか、硬質に容器を形成するに当たって異例のブランク折り畳みを要するといったような幾つかの欠点を抱えている。
【先行技術文献】
【特許文献】
【０００８】
【特許文献１】米国特許出願公開第２０１２／０１１１７４６（Ａ１）号明細書
【発明の概要】
【発明が解決しようとする課題】
【０００９】
本発明の目的は、上述したような欠点を排するように設計された再密閉可能な密閉パネル付きパケットであって、即ち１回の操作で開閉できると共に製造が安価で簡単なパケットを提供することにある。
【００１０】
本発明によれば、添付された特許請求の範囲に記載されたような再密閉可能な密閉パネルを備えたパケットが提供される。
【００１１】
添付図面を参照しながら、例としての幾つかの本発明の非限定的実施形態を説明する。
【図面の簡単な説明】
【００１２】
【図１】閉じた状態での本発明によるタバコパケットの前方斜視図である。
【図２】閉じた状態での図１のタバコパケットの後方斜視図である。
【図３】開き状態での図１のタバコパケットの前方斜視図である。
【図４】閉じた状態での図１のパケットの部分的に分解前方斜視図である。
【図５】図１のタバコパケットの密閉パッケージの前方斜視図である。
【図６】明確にするために部品を取り除いた、図１のタバコパケットの上部分の概略的な側方断面図である。
【図７】異なる種類の接着剤を使用して、図１１のブランクに固定される密閉パネルの平面図である。
【図８】異なる種類の接着剤を使用して、図１１のブランクに固定される密閉パネルの平面図である。
【図９】図５の密閉パッケージを形成するためのパッキング材シートの平面図である。
【図１０】図９のパッキング材シートの変形例の平面図である。
【図１１】図１のタバコのパケットの箱を形成するためのブランクの平面図である。
【図１２】図７及び図８の密閉パネルに適合する図１１のブランクの平面図である。
【図１３】図１１のブランクの変形例の平面図である。
【図１４】図１１のブランクの変形例の平面図である。
【図１５】閉じた状態での図１のタバコパケットの変形例の前方斜視図である。
【図１６】開き状態での図１５のタバコパケットの前方斜視図である。
【図１７】図１５のタバコのパケットの箱を形成するためのブランクの平面図である。
【発明を実施するための形態】
【００１３】
図１、図２及び図３中の番号１は、硬質のタバコ煙草パケット全体を示している。タバコのパケット１は、厚紙の外容器２と、その容器２の内部に収納された軟質の密閉パッケージ３（図５にさらに明確に示す）とを有している。
【００１４】
密閉パッケージ３は、直方体状のタバコの一組４（図３に部分的に示す）を包囲し、その前方上部にタバコの一組４にアクセスするためのカバーフラップ５を備え、カバーフラップは、カバーフラップ５が密閉パッケージ３と同一平面を成して対応する取り出し口を密閉するような閉じ位置（図５）と、カバーフラップ５が密閉パッケージ３から離れて持ち上がり取り出し口を開放する開き位置（図３）との間で可動になっている。カバーフラップ５は、密閉パッケージ３を通じて切り込み６（図３）によって形成され、密閉パッケージ３の上壁と前壁に跨って延び、即ち、切り込み６は、カバーフラップ５とそれに対応する取り出し口の双方を形成することで、カバーフラップ５の持ち上げにより取り出し口へのアクセスを可能にしている。ここで注記すべきことは、切り込み６は最初から貫通状態にある切り込みであっても良いし、或いは密閉パッケージ３を開封した際（即ちタバコのパケット１を最初に開いた時）に引き裂かれるような非貫通状態にある切り込み（即ち、密閉パッケージ３のシール機能低下を回避するための非貫通状態の切開部）であっても良いということである。言い換えるならば、密閉パッケージ３を開ける上で、密閉パッケージ３の残りの部分からカバーフラップ５を持ち上げるためには、切り込み６を貫通切断しなければならないが、密閉パッケージ３を開ける際（即ち、最初にタバコパケット１を開ける時）に引き裂かれるような非貫通状態の切り込み６としても良い。
【００１５】
容器２は密閉パッケージ３を包囲し、その前方上部に密閉パッケージ３にアクセスするためのカバーフラップ７を備え、カバーフラップは、カバーフラップ７が容器２と同一平面を成して対応する取り出し口を密閉するような閉じ位置（図１）と、カバーフラップ７が容器２から離れて持ち上がり取り出し口を開放する開き位置（図３）との間で可動になっている。カバーフラップ７は、容器２を通じて切り込み８（図３）によって形成され、容器２の上壁と前壁に跨って延び、即ち、切り込み８は、カバーフラップ７とそれに対応する取り出し口の双方を形成することで。カバーフラップ７の持ち上げにより取り出し口へのアクセスを可能にしている。（密閉パッケージ３とは異なり、）容器２は密閉されていないので、切り込み８は通常、初めから貫通切り込みである。
【００１６】
容器２のカバーフラップ７は密閉パッケージ３のカバーフラップ５の上に直接重ねられ接着剤９により永久的に接着される（図６に概略的に示す）。接着剤９は永久的乾燥接着剤であることが好ましく、それによりカバーフラップ５、７同士を（引き裂かれない限り）、分離不能なように互いに接着する。
【００１７】
添付図面に示される好適実施形態では、図３に明確に示すように、容器２のカバーフラップ７は密閉パッケージ３のカバーフラップ５より面積が大きく、即ち密閉パッケージ３のカバーフラップ５が容器２のカバーフラップ７内に完全に含まれる。言い換えるならば、カバーフラップ５の切り込み６に沿う各点は、カバーフラップ７の切り込み８から所定（好ましくは一定）の距離を隔てて位置する。図示しない別の実施形態では、容器２のカバーフラップ７は密閉パッケージ３のカバーフラップ５と同じサイズ（面積）となる。言い換えれば、カバーフラップ５の切り込み６に沿う各点が、カバーフラップ７の切り込み８に重ね合わされる（この実施形態では、より大きなカバーフラップ５により密閉パッケージ３からタバコの取り出しを容易にできる）。
【００１８】
タバコのパケット１は、容器２の外側において容器２のカバーフラップ７に直接重ねられた再密閉可能な“開閉”接着パネル１０を有する。接着パネル１０は（図３に明確に示すように）容器２のカバーフラップ７よりも（面積）が大きくなっており、そのため容器２のカバーフラップ７は接着パネル１０の中に完全に含まれている。言い換えるならば、カバーフラップ７の切り込み８に沿う各点は、接着パネル１０の端縁部から所定の距離をおいて配置される。（図６に概略的に示すように）接着パネル１０の内側は、長期間経過後でも粘着性を保つ非乾燥再粘着性接着剤１１で被覆され、結果として接着パネル１０は容器２のカバーフラップ７に恒久的に、かつカバーフラップ７周り（即ち、切り込み８周り）の容器２部分に対しては解放可能なように接着される。非乾燥の再粘着性接着剤１１により、接着パネル１０は、長期間に亘って容器２に対し、繰り返し脱着可能になる。
【００１９】
接着パネル１０は、非乾燥再粘着性接着剤１１がなく接着パネル１０の下端縁部に沿って配置された摘みタブ１２を備える。摘みタブ１２は接着パネル１０をより簡単に摘んで持ち上げるのに役立っている。換言すれば、接着パネル１０を持ち上げるためには、ユーザは、再粘着性接着剤１１によって容器２に固定されている接着パネル１０の残りの部分とは異なり、容器２に少しも固定されていない摘みタブ１２を単に摘みさえすればよい。
【００２０】
通常時、即ちタバコパケット１を使用していない時、接着パネル１０は、カバーフラップ７周囲（即ち、切り込み８周り）の容器２部分に付着してパケット１を閉止（密閉）している（即ち、双方のカバーフラップ５、７を閉じ位置に保持している）。そして、一組４からタバコを引き出すにあたっては両方のフラップ５、７を持ち上げるため、接着パネル１０は容器２から離れ一時的に（かつ部分的に）引き上げられるかもしれない。
【００２１】
容器２は、上壁１３と、それとは反対側にある平行な底壁１４；前壁１５と、それとは反対側にある平行な後壁１６、及び互いに平行に向かい合った２枚の側壁１７、を有する直方体の形状を成している。４本の長手方向端縁部は、側壁１７と前・後壁１５、１６との間に形成されており、８本の横断方向端縁部は、上・底壁１３、１４と、前壁１５・後壁１６・側壁１７との間に形成されている。図に示す実施形態では、端縁部の全てが四角形である。他の、完全等価な実施形態にあって、ある端縁部に明らかな面取りや丸み付けが施されても良い。
【００２２】
通常、即ちタバコパケット１を密閉するために容器２に付着した際には、接着パネル１０は（図４に明確に示されるように）Ｕ字状になっており、容器２の前壁１５、上壁１３及び後壁１６に重なっている。
【００２３】
図７に示す一実施形態では、非乾燥再粘着性接着剤１１は、（当然ながら再粘着性接着剤１１が付いていない摘みタブ１２を除き）接着パネル１０の内面全体を覆う。この実施形態では、接着パネル１０と容器２との間にある非乾燥再粘着性接着剤１１は、切り込み８内に囲まれたカバーフラップ７を、接着パネル１０に永久的に接着する（即ち、その２つは、理論上分離する可能性もあるが、使用中でさえも決して分離しない）。従って、接着パネル１０が容器２から持ち上げられたならば、切り込み８で囲まれたカバーフラップ７も又、接着パネル１０と一緒に持ち上がる。接着パネル１０と容器２との間にある非乾燥再粘着性接着剤１１も又、カバーフラップ７を包囲する（即ち、切り込み８を包囲する）容器２部分を一時的に（即ち、使用時は取り外し可能なように）接着パネル１０に接着し、以て通常は接着パネル１０を容器２と接触した状態に保ち、タバコパケット１を閉じた状態にしている。
【００２４】
図８に示される代替の実施形態では、さらに永久乾燥接着剤１８が容器２の接着パネル１０とカバーフラップ７との間に介在し、接着パネル１０とカバーフラップ７を（それらが引き裂かれない限り）互いに非着脱可能に接着している。さらなる永久乾燥接着剤１８の目的は、容器２の接着パネル１０とカバーフラップ７との間に、より強固でかつ安定性の高い連結を成すことにある。さらに、永久乾燥接着剤１８は容器２のカバーフラップ７よりも（面積が）小さい接着パネル１０の内方部分を覆うことで、考えられるあらゆる製造公差に関係なく、さらなる永久乾燥接着剤１８が容器２のカバーフラップ７内に切り込み８から所定距離を隔てた所に（即ち、カバーフラップ７を形成する切り込み８を決して超えることなく）残ることを確実にすることが好ましい。実際には、もし仮に、永久乾燥接着剤１８が切り込み８を超えたとしたなら、結果的には接着パネル１０と、カバーフラップ７を囲む（即ち、切り込み８を囲む）容器２部分とが、（引き裂かれない限り）着脱不能に接続されることになってしまう。
【００２５】
図９に示すように、密閉パッケージ３はカバーフラップ５を形成する切り込み６を持った矩形の包装材料シート１９を折り曲げて形成される。図９の実施形態では、切り込み６はエンドレスラインによって形成されるが、そのことはカバーフラップ５が密閉パッケージ３から完全に取り外された状態であって、即ち密閉パッケージ３の残りの部分と連結したままになっている点はないということを意味している。包装材料シート１９を取り扱い加工（折り畳み）するために、切り込み６は、カバーフラップ５（即ち、タバコパケット１）が初めて開放される際に引き裂かれる、少なくとも１つの初期分離部分を持っている。前述したように、最初の状態において、切り込み６は、密閉パッケージ３の保全性（即ち、密閉状態）を確保するために非貫通状態の切り込みであって、密閉パッケージ３（即ち、タバコパケット１）を開封する際に一挙に引き裂かれることが好ましい。図１０の実施形態では、切り込み６は開放Ｕ字状ラインによって形成されるが、そのことはカバーフラップ５の一方の側が密閉パッケージ３に連結されたままの状態になることを意味している。
【００２６】
図１１に示すように、タバコパケット１の容器２はブランク２０から形成されており、とりわけ多数の部分から構成されるが、ここではそれらの部分は、可能な限り、容器２に対応する壁と同じ参照番号に上付き記号を付けて示すこととする。
【００２７】
図１１に示すように、容器２のカバーフラップ７はヒンジ２１に沿って容器２に連結されており、ヒンジ２１周りで回転することで開・閉位置間を移動するようになっている。さらに、切り込み８はヒンジ２１にかかる２つの端部を有し、Ｕ字状に形成されている。
【００２８】
図１１に示すように、ブランク２０は２本の長手方向折り線２２と多数の横断方向折り線２３を備えており、横断方向折り線２３は、長手方向折り線２２との間で、容器２の底壁１４の外方部分を形成するパネル１４’と、容器２の前壁１５を形成するパネル１５’と、容器２の上壁１３を形成するパネル１３ ’と、容器２の後壁１６を形成するパネル１６’と、容器２の底壁１４の内方部分を形成すると共に、ブランク２０を折り畳んだ際にパネル１４’に重ねられて接着されるパネル１４”と、の輪郭を定める。
【００２９】
パネル１５’は２枚のウィング１７’を備え、２枚のウィング１７’は、容器２の側壁１７の各外方部分を形成すると共に、パネル１５’の両側に位置し、かつ長手方向折り線２２によってパネル１５に連結されている。パネル１６’は２枚のウィング１７”を備え、２枚のウィング１７”は、容器２の側壁１７の各内方部分を形成すると共に、パネル１６’の両側に位置し、かつ長手方向折り線２２によってパネル１６’に連結されている。
【００３０】
各ウィング１７”には、横断方向折り線２３に沿ってウィング１７”に連結された止めタブ２４があり、そのタブはブランク２０を折り畳む際にウィング１７”に対して９０°に折り畳まれてパネル１４”の内面に接着される。各ウィング１７”は又、止めタブ２４とは反対側の端部にあって横断方向折り線２３に沿ってウィング１７”に接続された止めタブ２５を備えており、そのタブはブランク２０を折り畳む際にウィング１７”に対して９０°に折り畳まれてパネル１３’の内面に接着される。各止めタブ２５は切り込み８（即ち、カバーフラップ７）と重ならない程、十分小さい。
【００３１】
図１２は、接着パネル１０を取り付けた図１１の接着パネル１０を示している。ちなみに、接着パネル１０は、タバコパケット１の容器２を成すべく接着パネル１０と一緒に密閉パッケージ３周りでブランク２０を折り畳む前に、ブランク２０に装着（糊付け）されていることが好ましい。
【００３２】
図１３はブランク２０の別実施形態を示すものであり、ここでは横断方向折り線２３は、２本の長手方向折り線２２との間で、容器２の上壁１３の内方部分を形成するパネル１３’と、容器２の後壁１６を形成するパネル１６’と、容器２の底壁１４を形成するパネル１４’と、容器２の前壁１５を形成するパネル１５’と、ブランク２０を折り畳んだ際にパネル１３’に重ねて接着されて容器２の上壁１３の外方部分を形成するパネル１３”と、の輪郭を定める。
【００３３】
図１４は、図１３のブランク２０の変形例を示すものであり、それはパネル１３’と止めタブ２５の形状と大きさ、及び切り込み８の形状を除き、図１３のブランク２０と同一のものである。
【００３４】
図１〜図１４の実施形態では、容器２のカバーフラップ７のヒンジ２１は、容器２の上壁１３の後方横断方向端縁部に沿って位置し、即ち、上壁１３の後方横断方向端縁部（と同軸状）に重ね合わされる。この実施形態では、カバーフラップ５が密閉パッケージ３から完全に切り離されるように、切り込み６はエンドレスライン（図９に示す）により形成されることが好ましい。ちなみに、カバーフラップ７のヒンジ２１が上壁１３の後方横断方向端縁部に沿って配置された場合、カバーフラップ５は密閉パッケージ３から最も良い状態で完全に切り離され、接着パネル１０を開いた際の密閉パッケージ３に大きな応力がかかること（ひいては、変形）を回避する。
【００３５】
図１５〜図１７の実施形態において、容器２のカバーフラップ７のヒンジ２１は、容器２の上壁１３上にあって、上壁１３の前方横断方向端縁部と後方横断方向端縁部との間に位置し、前方横断方向端縁部から所定の距離を隔てて配置される。この実施形態では、切り込み６は、（図９に示すように）エンドレスラインから形成されるものでも良く、又（図１０に示すように）Ｕ字状ラインから形成されるものでも良い。ちなみに、カバーフラップ７のヒンジ２１が上壁１３の後方横断方向端縁部から所定の距離を隔てて配置される本実施形態では、（図１０に示すように）切り込み６がＵ字状のラインによって形成された場合でも、接着パネル１０を開放時、密閉パッケージ３の大きな応力がかかったり（或いは変形したり）することはない。
【００３６】
上述したタバコのパケット１には多くの利点がある。
【００３７】
まず第１に、記述したタバコパケット１は１回の操作で（即ち、ユーザによる単一の動作により）開閉でき、それ自体の使用も非常に簡単、迅速、かつ直感的なものである。
【００３８】
第２に、記述したタバコパケット１は、（図１２乃至図１４、図１７に示すように）事前にブランク２０に接着パネル１０を付けるための追加の貼付ステーションを装備した、実質上標準的な包装機で生産できることにより、製造が安価かつ簡単である。
【００３９】
最後に、記述したタバコパケット１は、接着パネル１０が比較的薄く（包装材料シート１０やブランク２０の厚さと比較した場合）、必要とされる包装材料の総量を著しく増加しないという点で、比較的少量の包装材料から作ることができる。
【００４０】
添付図面に示した非限定的な実施形態では、本発明によるパケット１はタバコの一組４を包んでいるが、その様々な利点を考えると本発明によるパケット１は又、例えば食品（菓子、チョコレート、その他の菓子）などのタバコ以外のものにも使用可能である。
【図１】
0006449858.tif 000002
【図２】
0006449858.tif 000003
【図３】
0006449858.tif 000004
【図４】
0006449858.tif 000005
【図５】
0006449858.tif 000006
【図６】
0006449858.tif 000007
【図７】
0006449858.tif 000008
【図８】
0006449858.tif 000009
【図９】
0006449858.tif 000010
【図１０】
0006449858.tif 000011
【図１１】
0006449858.tif 000012
【図１２】
0006449858.tif 000013
【図１３】
0006449858.tif 000014
【図１４】
0006449858.tif 000015
【図１５】
0006449858.tif 000016
【図１６】
0006449858.tif 000017
【図１７】
0006449858.tif 000018